(57)【要約】【課題】　光を路面に照射して路面状態を判別する方法にあっては、その光の周波数領域の波長が反射率の主体となる比誘電率に変化を生じさせないことから画像処理を含む光学的反射強度を利用する従来の計測方法では、水と氷とを識別することができないといった問題があった。【解決手段】　電波反射体を敷設した路面に向けて電波を照射するとともに反射した電波を受信し、照射した電波に対する受信した電波の変化を基に路面上における水または氷の有無を判別する。【選択図】　　　　図１
2004085564.tif 000002
【特許請求の範囲】
【請求項１】
電波反射体を敷設した路面に向けて電波を照射するとともに反射した電波を受信し、照射した電波に対する受信した電波の変化を基に路面上における水または氷の有無を判別することを特徴とする路面状態判別方法。
【請求項２】
電波反射体を敷設した路面に向けて電波を照射するとともに反射した電波を受信し、照射した電波に対する受信した電波の変化を基に路面上における水の厚みを判別することを特徴とする路面状態判別方法。
【請求項３】
受信した電波の変化を、照射した電波の強度に対する受信した電波の強度の比である電波の減衰量として求め、予め記憶した減衰量に対する基準値と比較することにより前記判別を行うことを特徴とする請求項１項または請求項２項の何れかに記載の路面状態判別方法。
【請求項４】
受信した電波の変化を、受信した電波の強度として求め、予め記憶した受信強度に対する基準値と比較することにより前記判別を行うことを特徴とする請求項１項または請求項２項の何れかに記載の路面状態判別方法。
【請求項５】
電波反射体を敷設した路面に向けて複数の周波数の電波を照射するとともに反射した電波を受信し、照射した複数の周波数の電波に対する受信した電波の変化を基に前記判別を行うことを特徴とする請求項１項乃至請求項４項の何れかに記載の路面状態判別方法。
【請求項６】
電波反射体は、網目状であることを特徴とする請求項１項乃至請求項５項の何れかに記載の路面状態判別方法。
【請求項７】
網目の間隔は、電波の波長の１／１０以下であることを特徴とする請求項６項に記載の路面状態判別方法。
【請求項８】
電波反射体は、誘電体に混合された導電材であることを特徴とする請求項１項乃至請求項５項の何れかに記載の路面状態判別方法。
【請求項９】
電波反射体をアスファルト、コンクリート、塗料を含む誘電体からなる路面内に敷設したことを特徴とする請求項１項乃至請求項８項の何れかに記載の路面状態判別方法。
【請求項１０】
前記基準値は、路面上における水または氷あるいは路面上における水の複数の厚みについて予め測定された電波に対応した複数の値域として定義され、路面に照射した電波の変化がいずれの値域に相当するか判別して水または氷の有無あるいは水の厚みを計測することを特徴とする請求項３項乃至請求項９項の何れかに記載の路面状態判別方法。
【請求項１１】
前記路面に照射する電波の周波数域は水または氷の複素比誘電率が変化する周波数域であることを特徴とする請求項１項乃至請求項１０項の何れかに記載の路面状態判別方法。
【請求項１２】
路面に向けて複数の周波数の電波を照射するとともに反射波を含む電波を受信してフーリエ逆変換し、逆変換後の時間空間で路面から反射した電波の信号を抽出し、抽出後の信号をフーリエ変換した信号にて前記電波の変化を算出することを特徴とする請求項１項乃至請求項１１項の何れかに記載の路面状態判別方法。
【請求項１３】
所定のフィルタ関数を前記フーリエ逆変換後の信号に乗じることにより、路面から反射した電波が照射された後、受信されるまでの時間に相当する時間空間域に現れる信号のピークを抽出することを特徴とする請求項１２に記載の路面状態判別方法。
【請求項１４】
前記路面の表面には、深さが略一定の凹部が形成されていることを特徴とする請求項１項乃至請求項１３項の何れかに記載の路面状態判別方法。
【請求項１５】
電波反射体を敷設した路面に向けて電波を照射する電波の送信手段と、
　前記路面から反射した電波を受信する受信手段と、
　前記送信手段から照射した電波の強度に対する受信手段で受信した電波の強度の比であるところの電波の減衰量を算出する送受信変化量算出部と、
　電波の減衰量に対する基準値を予め記憶した基準データ記憶部と、
　送受信変化量算出部で算出した電波の減衰量と基準データ記憶部で記憶した基準値とを比較し路面上における水または氷の有無を判別する路面状態判別部と、
　を備えることを特徴とする路面状態判別装置。
【請求項１６】
電波反射体を敷設した路面に向けて電波を照射する電波の送信手段と、
　前記路面から反射した電波を受信する受信手段と、
　前記受信手段により受信した電波の強度を計測する受信強度計測部と、
　電波の受信強度に対する基準値を予め記憶した基準データ記憶部と、
　受信強度計測部で計測した電波の強度と基準データ記憶部に記憶した基準値とを比較し路面上における水または氷の有無を判別する路面状態判別部と、
　を備えることを特徴とする路面状態判別装置。
【請求項１７】
電波反射体を敷設した路面に向けて電波を照射する電波の送信手段と、
　前記路面から反射した電波を受信する受信手段と、
　前記送信手段から照射した電波の強度に対する受信手段で受信した電波の強度の比であるところの電波の減衰量を算出する送受信変化量算出部と、
　電波の減衰量に対する基準値を予め記憶した基準データ記憶部と、
　送受信変化量算出部で算出した電波の減衰量と基準データ記憶部で記憶した基準値とを比較し路面上における水の厚みを判別する路面状態判別部と、
　を備えることを特徴とする路面状態判別装置。
【請求項１８】
電波反射体を敷設した路面に向けて電波を照射する電波の送信手段と、
　前記路面から反射した電波を受信する受信手段と、
　前記受信手段により受信した電波の強度を計測する受信強度計測部と、
　電波の受信強度に対する基準値を予め記憶した基準データ記憶部と、
　受信強度計測部で計測した電波の強度と基準データ記憶部に記憶した基準値とを比較し路面上における水の厚みを判別する路面状態判別部と、
　を備えることを特徴とする路面状態判別装置。
【請求項１９】
前記送信手段は路面に向けて複数の周波数の電波を照射し、前記基準データ記憶部は前記複数の周波数の電波のそれぞれに対応した値を記憶していることを特徴とする請求項１５項乃至請求項１８項の何れかに記載の路面状態判別装置。
【請求項２０】
前記送信手段は路面に向けて複数の周波数の電波を照射し、前記受信手段は反射波を含む電波を受信し、
　上記送受信変化量算出部は、
　受信手段で受信した電波に対してフーリエ逆変換処理を行うフーリエ逆変換部と、
　所定のフィルタ関数を前記フーリエ逆変換後の信号に乗じることにより、路面から反射した電波が照射された後、受信されるまでの時間に相当する時間空間域に現れる信号のピークを抽出する時間フィルタ部と、
　抽出後の信号をフーリエ変換するフーリエ変換部とを備え、
　当該フーリエ変換後の信号から前記電波の変化を算出することを特徴とする請求項１５項乃至請求項１９項の何れかに記載の路面状態判別装置。
【発明の詳細な説明】
【技術分野】
【０００１】
　本発明は一般道路や高速道路における路面に、水や氷が存在する状態を判別するための方法およびその装置に関する。
【背景技術】
【０００２】
　従来より画像処理を用いて凍結などの路面状態を判別する方法や装置が提案されている（例えば、特許文献１参照）。この出願は所定の路面監視エリアに対してレーザ光を投光走査し、路面から反射されるレーザ光を監視画像として記憶し、この監視画像と予め記憶した判定用画像とを比較して最も類似する路面判定用画像データを見つけ出し、凍結状態であるか否かを検出するものである。
【特許文献１】特開２００２−３９８６１号
【発明の開示】
【発明が解決しようとする課題】
【０００３】
　ところで、図７のように路面上の水や氷にレーザ光や自然光が当たった場合の反射率Γと透過率Ｔは以下のように比誘電率εrの関数として定義することができる。
【数１】
2004085564.tif 000003
【０００４】
　ここで、Ｅｉは電磁波の入射エネルギー、Ｅｒは反射エネルギー、Ｅｔは透過エネルギーであり、また、比誘電率εr＝媒質の誘電率ε／真空の誘電率ε0である。
【０００５】
　一方、一般の物質の複素比誘電率
【数２】
2004085564.tif 000004
は、その実数部をε’、虚数部である誘電損失をε''として、デバイの緩和理論から、
【数３】
2004085564.tif 000005
となることが知られている。但し、σは導電率、ε0*は空気の誘電率（８．８５４×１０-12Ｆ／ｍ）であり、水，氷の場合、導電率σはほぼ０であることから、式（５）の第２項は無視することができ、式（５−１）とすることができる。
【０００６】
　ここで、
【数４】
2004085564.tif 000006
は直流電場における比誘電率、
【数５】
2004085564.tif 000007
は高周波電場における比誘電率、ωは角周波数、τは誘電緩和時間である。
【０００７】
　この（４）、（５−１）式に１０Ｈｚ〜１０００ＧＨｚの周波数ｆと以下に示す値を代入して複素比誘電率を算出すると図３に示すグラフとなる。
【数６】
2004085564.tif 000008
【０００８】
　このグラフから明らかなように、水と氷とでは複素比誘電率が変化する周波数域が大きく異なる。特に反射率Γを変化させる誘電率虚数部ε”はそれぞれ１００Ｈｚ近傍〜１００ＫＨｚ近傍と１ＧＨｚ近傍〜１００ＧＨｚ近傍において大きく変化しているが、前記した従来例の公開公報におけるレーザ光や可視光に使われる数１００ＧＨｚ以上の電磁波および光の周波数領域に対しては、水も氷も同じ値（略「０」）になっている。
【０００９】
　同様に、誘電率実数部ε’についても、数１００ＧＨｚ以上の周波数では水も氷も同様の値になっている。すなわち、光の周波数領域の電磁波では反射率Γの主体となる比誘電率εrに変化を生じないことから画像処理を含む光学的反射強度を利用する従来の計測方法では、水と氷とを識別することができないといった問題があった。さらに、従来の計測方法では、水の厚さを判別できないと言った問題があった。
【００１０】
　本発明は前記した問題点を解決せんとするもので、その目的とするところは、電波反射体を敷設した路面上の水または氷に電波を照射した場合に生じる電波の変化を検出することにより、路面上における水または氷の有無あるいは水の厚みを正確に判別することが可能な路面状態判別方法およびその装置を提供せんとするものである。
【課題を解決するための手段】
【００１１】
　本発明の路面状態判別方法は前記した目的を達成せんとするもので、請求項１の手段は、電波反射体を敷設した路面に向けて電波を照射するとともに反射した電波を受信し、照射した電波に対する受信した電波の変化を基に路面上における水または氷の有無を判別することを特徴とする。
【００１２】
　請求項２の手段は、電波反射体を敷設した路面に向けて電波を照射するとともに反射した電波を受信し、照射した電波に対する受信した電波の変化を基に路面上における水の厚みを判別することを特徴とする。
【００１３】
　請求項３の手段は、請求項１項または請求項２項の何れかに記載の路面状態判別方法において、受信した電波の変化を、照射した電波の強度に対する受信した電波の強度の比である電波の減衰量として求め、予め記憶した減衰量に対する基準値と比較することにより前記判別を行うことを特徴とする。
【００１４】
　請求項４の手段は、請求項１項または請求項２項の何れかに記載の路面状態判別方法において、受信した電波の変化を、受信した電波の強度として求め、予め記憶した受信強度に対する基準値と比較することにより前記判別を行うことを特徴とする。
【００１５】
　請求項５の手段は、請求項１項乃至請求項４項の何れかに記載の路面状態判別方法において、電波反射体を敷設した路面に向けて複数の周波数の電波を照射するとともに反射した電波を受信し、照射した複数の周波数の電波に対する受信した電波の変化を基に前記判別を行うことを特徴とする。
【００１６】
　請求項６の手段は、請求項１項乃至請求項５項の何れかに記載の路面状態判別方法において、電波反射体が網目状であることを特徴とする。
【００１７】
　請求項７の手段は、請求項６項に記載の路面状態判別方法において、網目の間隔が電波の波長の１／１０以下であることを特徴とする。
【００１８】
　請求項８の手段は、請求項１項乃至請求項５項の何れかに記載の路面状態判別方法において、電波反射体は、誘電体に混合された導電材であることを特徴とする。ここで、誘電体はアスファルト、コンクリート、塗料等を採用可能である。
【００１９】
　請求項９の手段は、請求項１項乃至請求項８項の何れかに記載の路面状態判別方法において、電波反射体をアスファルト、コンクリート、塗料を含む誘電体からなる路面内に敷設したことを特徴とする。
【００２０】
　請求項１０の手段は、請求項３項乃至請求項９項の何れかに記載の路面状態判別方法において、前記基準値が路面上における水または氷あるいは路面上における水の複数の厚みについて予め測定された電波に対応した複数の値域として定義され、路面に照射した電波の変化がいずれの値域に相当するか判別して水または氷の有無あるいは水の厚みを計測することを特徴とする。
【００２１】
　請求項１１の手段は、請求項１項乃至請求項１０項の何れかに記載の路面状態判別方法において、前記路面に照射する電波の周波数域は水または氷の複素比誘電率が変化する周波数域であることを特徴とする。
【００２２】
　請求項１２の手段は、請求項１項乃至請求項１１項の何れかに記載の路面状態判別方法において、路面に向けて複数の周波数の電波を照射するとともに反射波を含む電波を受信してフーリエ逆変換し、逆変換後の時間空間で路面から反射した電波の信号を抽出し、抽出後の信号をフーリエ変換した信号にて前記電波の変化を算出することを特徴とする。
【００２３】
　請求項１３の手段は、請求項１２に記載の路面状態判別方法において、所定のフィルタ関数を前記フーリエ逆変換後の信号に乗じることにより、路面から反射した電波が照射された後、受信されるまでの時間に相当する時間空間域に現れる信号のピークを抽出することを特徴とする。
【００２４】
　請求項１４の手段は、請求項１項乃至請求項１３項の何れかに記載の路面状態判別方法において、前記路面の表面には、深さが略一定の凹部が形成されていることを特徴とする。
【００２５】
　本発明の路面状態判別装置における請求項１５の手段は、電波反射体を敷設した路面に向けて電波を照射する電波の送信手段と、前記路面から反射した電波を受信する受信手段と、前記送信手段から照射した電波の強度に対する受信手段で受信した電波の強度の比であるところの電波の減衰量を算出する送受信変化量算出部と、電波の減衰量に対する基準値を予め記憶した基準データ記憶部と、送受信変化量算出部で算出した電波の減衰量と基準データ記憶部で記憶した基準値とを比較し路面上における水または氷の有無を判別する路面状態判別部とを備えたものである。
【００２６】
　本発明の路面状態判別装置における請求項１６の手段は、電波反射体を敷設した路面に向けて電波を照射する電波の送信手段と、前記路面から反射した電波を受信する受信手段と、前記受信手段により受信した電波の強度を計測する受信強度計測部と、電波の受信強度に対する基準値を予め記憶した基準データ記憶部と、受信強度計測部で計測した電波の強度と基準データ記憶部に記憶した基準値とを比較し路面上における水または氷の有無を判別する路面状態判別部とを備えたものである。
【００２７】
　本発明の路面状態判別装置における請求項１７の手段は、電波反射体を敷設した路面に向けて電波を照射する電波の送信手段と、前記路面から反射した電波を受信する受信手段と、前記送信手段から照射した電波の強度に対する受信手段で受信した電波の強度の比であるところの電波の減衰量を算出する送受信変化量算出部と、電波の減衰量に対する基準値を予め記憶した基準データ記憶部と、送受信変化量算出部で算出した電波の減衰量と基準データ記憶部で記憶した基準値とを比較し路面上における水の厚みを判別する路面状態判別部とを備えたものである。
【００２８】
　本発明の路面状態判別装置における請求項１８の手段は、電波反射体を敷設した路面に向けて電波を照射する電波の送信手段と、前記路面から反射した電波を受信する受信手段と、前記受信手段により受信した電波の強度を計測する受信強度計測部と、電波の受信強度に対する基準値を予め記憶した基準データ記憶部と、受信強度計測部で計測した電波の強度と基準データ記憶部に記憶した基準値とを比較し路面上における水の厚みを判別する路面状態判別部とを備えたものである。
【００２９】
　請求項１９の手段は、請求項１５項乃至請求項１８項の何れかに記載の路面状態判別装置において、前記送信手段は路面に向けて複数の周波数の電波を照射し、前記基準データ記憶部は前記複数の周波数の電波のそれぞれに対応した値を記憶していることを特徴とする。
【００３０】
　請求項２０の手段は、請求項１５項乃至請求項１９項の何れかに記載の路面状態判別装置において、前記送信手段は路面に向けて複数の周波数の電波を照射し、前記受信手段は反射波を含む電波を受信し、上記送受信変化量算出部は、受信手段で受信した電波に対してフーリエ逆変換処理を行うフーリエ逆変換部と、所定のフィルタ関数を前記フーリエ逆変換後の信号に乗じることにより、路面から反射した電波が照射された後、受信されるまでの時間に相当する時間空間域に現れる信号のピークを抽出する時間フィルタ部と、抽出後の信号をフーリエ変換するフーリエ変換部とを備え、当該フーリエ変換後の信号から前記電波の変化を算出することを特徴とする。
【発明の効果】
【００３１】
　本発明は前記したように、光学的反射強度を利用する従来の計測方法では原理上判別することができなかった水と氷の判別あるいは水の厚みの判別を可能にするといった効果を有する。さらに、本発明は路面に電波反射体を敷設したことによりアスファルト等に対する電波の透過（図７のＥｔ）による影響を受けることなく、水に対する電波の一層顕著な減衰を出現させすることが可能であり、以ってより高精度の路面状態判別をおこなうことができる。
【００３２】
　特に、受信した電波の変化を、照射した電波の強度に対する受信した電波の比である電波の減衰量として求め、予め記憶した減衰量に対する基準値と比較し、あるいは、受信した電波の強度として求め予め記憶した受信強度に対する基準値と比較することにより、路面状態を精度よく判別することができる等の効果を有するものである。
【００３３】
　さらに、電波反射体の形状を網目状にするなどしてアスファルト等と同等の水の浸透性を確保した状態で、路面上の水または氷の有無あるいは水の厚みを高精度に判別できるように構成可能である。さらに、電波反射体を路面に埋設することにより、電波反射体を路面上に露出させることなく路面上の水または氷の有無あるいは水の厚みを高精度に判別できるように構成可能である。
【００３４】
　また、電波反射体を誘電体（アスファルト、コンクリート、塗料等）からなる路面内に敷設することにより、金属板を路面上に敷設する場合と比較して路面を滑りにくくすることができるとともに、電波の反射特性をより顕著にし、判別精度を一層向上させることができる。さらに、乱反射成分による干渉を除去する処理を行うことにより、判定精度を向上させることが可能である。さらに、路面の表面に深さが略一定の凹部を形成することにより、水の留まる量を一定にすることができ、特定の周波数によって計測を行うことが可能になる。
【発明を実施するための最良の形態】
【００３５】
　以下、本発明に係る路面状態判別方法を用いた路面状態判別装置の一実施の形態を図１により説明する。図１は路面状態を判別する道路に配置された路面状態判別装置で、１は路面に路面と同じ高さで敷設した鉄板からなる電波反射体。２は電波反射体１を敷設した路面に電波を照射する送信手段にして、ギガＨｚ域の発振周波数の電界を生成する発振器２１と、入力された信号を増幅し例えば０ＧＨｚ〜８ＧＨｚ（下限の周波数は厳密には０より大きい）の電波として路面Ｒに対して照射する送信アンテナ２２とから構成される。
【００３６】
　３は受信手段にして、電波反射体１を敷設した路面から反射した電波を受信する受信アンテナ３２と受信した各電波を検波する検波器３１とから構成される。なお、送信アンテナ２２と受信アンテナ３２は梁柱などの支持手段によって路面に電波が略垂直に照射されるように並べて配置される。
【００３７】
　４は前記送信手段２から照射した電波の強度に対する受信手段３で受信した電波の強度の比であるところの電波の減衰量を算出する送受信変化量算出部、５は路面に照射する電波の周波数および減衰量に対する基準値を記憶した基準データ記憶部、６は送受信変化量算出部４からの減衰量と基準データ記憶部５に記憶した基準値とを比較する路面状態判別部である。
【００３８】
　７は通信手段を備え、路面状態判別部６で判別された路面の水または氷の有無を図示しない中央の観測装置に配信する出力部、８は路面状態を判別するためのプログラムを記憶した制御プログラム記憶部、９は制御プログラム記憶部８のプログラムと図示しないキースイッチにより設定されたサンプリング周期や発振周波数などの設定値に従い前記の２〜７を制御し、路面状態判別を実行するＣＰＵである。
【００３９】
　はじめに計測の原理を説明すると、図４（ａ）のようにアスファルトからなる路面上に水または氷が存在する場合には、水または氷とアスファルトによる二層の誘電体の平面波に対する特性インピーダンスを求める数式を展開した下記の数式によって減衰量を求めることができる。
【００４０】
　ここで、図４（ａ）に示す水、氷からの反射、吸収の状態を等価回路で示すと図４（ｂ）となる。この場合の受端側から見込んだ電波伝搬の特性インピーダンス
【数７】
2004085564.tif 000009
は、水または氷に対する平面波の電波伝搬のインピーダンスを
【数８】
2004085564.tif 000010
、アスファルトに対する平面波の電波伝搬のインピーダンスを
【数９】
2004085564.tif 000011
、伝送定数を
【数１０】
2004085564.tif 000012
、誘電体の厚みをｄとすれば、
【数１１】
2004085564.tif 000013
となる。
【００４１】
　ここで、水、氷の複素比誘電率と複素比透磁率は、
【数１２】
2004085564.tif 000014
であり、水、氷内を伝搬する平面波の特性インピーダンス
【数１３】
2004085564.tif 000015
および伝搬定数
【数１４】
2004085564.tif 000016
は、
【数１５】
2004085564.tif 000017
と表される。
【００４２】
　ここで、水、氷は非磁性体であることから、
【数１６】
2004085564.tif 000018
となり、
【数１７】
2004085564.tif 000019
を得る。
【００４３】
　さらに、本願発明では前記等価回路において終端をアスファルトに代えて電波反射体である鉄板を用いることから、この値Ｚl ＝０と前記（８）式を（６）式に代入することにより、
【数１８】
2004085564.tif 000020
が得られる。
【００４４】
　そして、前記で述べた水と氷に関する数値および周波数の０ＧＨｚ〜８ＧＨｚを前記（４）（５−１）および（３）式に代入して求めた複素比誘電率
【数１９】
2004085564.tif 000021
を前記（８) 式に代入し、水または氷内を伝搬する平面波の特性インピーダンス
【数２０】
2004085564.tif 000022
と伝搬定数
【数２１】
2004085564.tif 000023
を求める。
【００４５】
　さらに、水または氷の厚みであるｄを例えば２mmとし、０ＧＨｚ〜８ＧＨｚの各周波数に対する波長λ(m) を（９）式に代入すると水または氷だけの特性インピーダンス
【数２２】
2004085564.tif 000024
が求められる。
【００４６】
　また、この特性インピーダンスからこの誘電体に対する反射率Γは、
【数２３】
2004085564.tif 000025
として表される。そこで、この求めた反射率Γから図５に示す０ＧＨｚ〜８ＧＨｚの周波数に対する電波の減衰量（２０log10Γ（ｄＢ））のグラフが求められる。
【００４７】
　次に、前記した構成に基づいて図２のフローチャートに従い動作を説明する。最初に、設定値以下の気温または路温を図示しない温度センサによって検知して路面状態判別のプログラムがスタートすると、ＣＰＵ９は制御プログラム記憶部８に記憶したプログラムに従い予め基準データ記憶部５に記憶した周波数( 例えば４．３ＧＨｚ) の信号を発振器２１に送り送信アンテナ２２から４．３ＧＨｚの電波を電波反射体１を敷設した路面に向けて照射する( ステップＳ１) 。なお、この時に送信した電波の送信強度Woを計測してＣＰＵ９に一時記憶する。次に、電波反射体１から反射し受信アンテナ３２で受信した同じ周波数の電波を検波し、受信した電波の受信強度Wiを出力する（ステップＳ２）。
【００４８】
　次に、ＣＰＵ９は送受信変化量算出部４において、送信した電波の強度に対する受信した電波の強度の比（反射率）を減衰量２０log10(Wi/Wo)として算出し、ＣＰＵ９に一時記憶する( ステップＳ３) 。次に、ＣＰＵ９は路面状態判別部６にて送受信変化量算出部４で算出した減衰量の値と基準データ記憶部５に予め記憶した４．３ＧＨｚの周波数に対する減衰量の基準値ｘ、例えば図５に示す−７ｄＢ＞ｘ＞−９ｄＢとの比較（ステップＳ４）と、ｘ＞−０．１ｄＢとの比較（ステップＳ５）を行い、基準値内の場合にそれぞれ水と氷を判別する。
【００４９】
　なお、基準値は、例えば４．３ＧＨｚの電波に対する水の減衰量（計算値）の−８．４ｄＢと、氷の減衰量（計算値）の０ｄＢに対して計測場所の電波の受信状況に応じて設定すればよい。むろん、基準値は水と氷で減衰量が異なり、両者の区別ができるような値域として定義すればよい。また、送信する電波の周波数は４．３ＧＨｚに限らず、水と氷の減衰量が異なり、両者の区別ができる周波数であればどのような周波数でもかまわない。また、基準値は、前記式に判別しようとする厚みｄなどのパラメータを代入して求めた減衰量に応じて設定しても良い。
【００５０】
　そして、ステップＳ４で「水」、ステップＳ５で「氷」と判別された場合には出力部７から中央の観測装置にそれぞれの判別結果を配信（ステップＳ６、ステップＳ７）する。そして、水の基準にも氷の基準にも該当しないとステップＳ４およびステップＳ５で判定した場合には、通報無しとして処理を行う（ステップＳ８）。すなわち、この処理によって水または氷の有無を判別していると言える。また、ステップＳ１の送信処理の開始と同時に計時を繰り返す図示しないサンプリングタイマがタイムアップしたか否かを判定（ステップＳ９）し、タイムアップしたと判定した場合にはステップＳ１に戻り前記のステップＳ１以降の動作を繰返し実施する。
【００５１】
　ただし、図５から明らかなように水と氷の減衰量には大きな違い（８ｄＢの差）があるため、「水」と「氷」を判別する１つの基準値、例えばｘ＜−４ｄＢを設定してその値との大小比較により水と氷を判別するようにしてもよい。また、「水」の減衰量の変化が「氷」に比べて大きい特性を利用して、０ＧＨｚ〜８ＧＨｚ複数の周波数の電波に対する受信強度の変化を基準値として設定するようにしてもよい（例えば、２ＧＨｚと４ＧＨｚの周波数に対する電波の減衰の変化としてｘ＞４ｄＢの基準値を設定したり、あるいは、２ＧＨｚと４ＧＨｚの電波の計測値に対してそれぞれ０ｄＢと−８ｄＢの基準値を設定し、同じ変化がある場合に水と判定する）。
【００５２】
　なお、前記で説明した実施の形態の他に、図６のように図１の送受信変化量算出部３に代えて受信強度計測部１５を設けるとともに、基準データ記憶部４には基準値として予め電波の周波数に対する受信強度（＝送信強度×反射率）を記憶し、路面状態判別部６で受信強度計測部１５で求めた受信強度と基準データ記憶部に記憶した基準値との比較を直接に行い路面状態を判別するようにしてもよい。
【００５３】
　また、前記の実施形態においては０ＧＨｚ〜８ＧＨｚ域の周波数を用いる実施形態を提案したが、図３のグラフから明らかなように水の複素比誘電率が大きく変化している１ＧＨｚ近傍〜１００ＧＨｚ近傍の領域の電波を用いて路面状態を判別することが可能である。同様に、氷の複素比誘電率が大きく変化している１００Ｈｚ近傍〜１００ＫＨｚ近傍の領域の電波を用いても路面における水または氷を判別することが可能である。
【００５４】
　ただし、前記の実施形態のように水と氷の両者を同時に判別する必要は無く、必要とする何れか一方の状態だけを判別するようにしてもよい。本発明は上述の論理式で説明したように、数１００ＧＨｚ以下の電波を電波反射体を敷設した路面に照射した場合に、水または氷に電波の著しい減衰特性が発生することを利用して判別を行うものである。よって、本発明の実施形態の判別方法に留まらず、図５に示すそれぞれの電波反射特性を識別できる種々の判別方法を用いることが可能である。
【００５５】
　前記実施形態は、水の状態（液体または固体）によって、複素比誘電率が大きく変化する周波数域が異なることを利用して水または氷の有無を判別していたが、複素比誘電率が水の厚みに依存し、その結果として前記減衰量、受信強度が変化することを利用して、水の厚みを判別する実施形態を採用することが可能である。
【００５６】
　この実施形態は、前記図１に示すハードウェア構成と同様の構成によって実現可能であるが、基準データ記憶部４においては、電波の変化量（減衰量等）を示す基準値を送信周波数毎に予め定義し、水の厚みに対応させて記憶している。図８は、本実施形態にかかる路面状態判別装置にて０ＧＨｚ〜８ＧＨｚ（ここでも厳密には０ＧＨｚは０より大きなある周波数）の周波数で電波を送信し、反射波を受信したときの減衰量を示している。
【００５７】
　同図に示すように、各周波数において水の厚みによって減衰量が異なり、減衰量が極小となる周波数も異なる。そこで、周波数毎に減衰量の値域を定義するとともにその周波数および減衰量の値域を水の厚みに対応させ、前記基準データ記憶部５に基準値として記憶する。例えば、図８に示す例において、２ＧＨｚの電波を送信する場合に基準値を−１７ｄＢ＞ｘ＞−２３ｄＢとし、水の厚みとして４mmを対応させる。
【００５８】
　また、４．３ＧＨｚの電波を送信する場合に基準値を−５ｄＢ＞ｘ＞−１０ｄＢとして水の厚み２mmを対応させ、６ＧＨｚの電波を送信する場合に基準値を−０．５ｄＢ＞ｘ＞−２ｄＢとして水の厚み１mmを対応させ、８ＧＨｚの電波を送信する場合に基準値を０ｄＢ＞ｘ＞−０．５ｄＢとして水の厚み０．５mmを対応させる。この基準値によれば、ある送信電波の周波数に対して観測した減衰量と基準値との比較によって水の厚みを判別することが可能になる。
【００５９】
　具体的な処理としては、図２におけるステップＳ１では、基準値に定義された周波数での発振を各ループ毎に実施する。ステップＳ２，Ｓ３およびステップＳ９は図２に示す処理と同様の処理である。ステップＳ４〜Ｓ８では図２に示す実施形態と異なる処理を行う。すなわち、ステップＳ４においては、前記ステップＳ３で取得した変化量が前記基準データ記憶部４に記憶された基準値であって、送信周波数に対応した基準値の何れかに該当するか否かを判別し、該当する場合にはその基準値に対応した水の厚みを判別し、ステップＳ６にてその判別結果を配信する。
【００６０】
　ステップＳ４において、前記ステップＳ３で取得した変化量が前記基準データ記憶部４に記憶された基準値の何れかに該当すると判別されないときには、ステップＳ８と同様に通報なしとして処理を行う。ステップＳ５，Ｓ７は実施しない。以上の処理により、路面上の水の厚みを判別することが可能である。むろん、この実施形態においては、水の厚みを判別することができればよく、水の厚みを０．５mm，１mm，２mm，４mmとすることは必須ではなく他の厚みに対する基準値を予め保持しても良い。
【００６１】
　さらに、前記図８に示すように、水の量によって減衰量の極小値が高周波域に移動することから、送信波の周波数を例えば０ＧＨｚ〜８ＧＨｚまで変化させ、減衰量が極小となる周波数によって水の厚みを判別しても良い。また、かかる構成により路面上に薄く水膜を形成している状態であるのか、少量の水がたまっている状態であるのか、すなわち湿潤の程度を判別することも可能になる。そこで、水の有無を判別する基準を水の厚みに対して任意に設定することが可能となる。
【００６２】
　さらに、本発明に適用可能な電波反射体１は、実施形態の鉄板などの金属体に限定されるものでなく、金属体と同等な導電性を有する導電性プラスチックや導電性塗料などを用いることも可能であり、さらに、アスファルトやコンクリートの路面に導電材たる金属粉を混入したものであっても良い。また、金属粉に限らず、炭素を導電材として用いることも可能である。
【００６３】
　図９は、炭素を４０％混入させた導電性コンクリートにおける減衰量を示している。縦軸は減衰量であり、横軸は周波数である。尚、同図においては、１ＧＨｚ〜６ＧＨｚにおいてコンクリート面が湿っている状態（水濡れ）とコンクリート面に水膜を形成している状態とについて示している。同図に示すように、水が少ない状態（水濡れ）から水の量が増加（水膜状態）になることで、減衰量が増加することがわかる。従って、この差異によって水の厚みを計測することが可能になる。
【００６４】
　さらに、路面に敷設する電波反射体の形状としても上述のような板状のものに限られない。例えば、網目状に形成した金属を路面に敷設する構成を採用しても良い。金属板に２辺がそれぞれｄ１，ｄ２の長さの穴を形成した網目上の電波反射体を路面に敷設し、両辺の長さを調整すると、０．８ＧＨｚ〜３．８ＧＨｚの周波数の電波を照射した場合、図１０に示すように穴のない板状の電波反射体とほとんど同等の反射率、すなわち電波の変化が得られることが確認されている。なお、図１０では、網目状に形成した金属とアルミ板とのそれぞれについて減衰量を示すとともに両者の比を示している。
【００６５】
　なお、当該両辺のそれぞれが電波の波長の１／１０以下であると、この網目状の金属板から電波が略全反射するので、両辺のそれぞれを電波の波長の１／１０以下にすることが好ましい。また、網目状の金属板においては、穴を通じて水を金属板の下方に浸透させることができ、アスファルト等と同等の浸透性を確保した状態で、しかも路面上の水または氷の有無あるいは水の厚みを高精度に判別することが可能である。
【００６６】
　さらに、電波反射体を路面上に露出させることなく、路面内に敷設しても良い。このように路面内へ敷設することで、路面上の水の有無あるいは、水の厚みを高精度に判別できるようになるとともに、車両通行時のタイヤと路面との摩擦抵抗が通常の施工状態と同じで滑りにくくなることから、施工による車両への影響は全くなく導入がさらに容易になる。
【００６７】
　図１１は、上から水あるいは氷とアスファルトと電波反射体である金属板が層を形成している場合の計測の原理を説明する説明図である。図１１（ａ）に示すように水または氷の特性インピーダンスをＺ１，アスファルトの特性インピーダンスをＺ２，金属板の特性インピーダンスをＺｌとすると、その等価回路は図１１（ｂ）の上部のように表現される。
【００６８】
　このとき、電波を路面に対して垂直に照射（入射角０度）した場合は、上記の（８）式に対応する水，氷またはアスファルトに対する平面波の電波伝搬の特性インピーダンスＺと伝送係数γはそれぞれ次の式によって表される。
【数２４】
2004085564.tif 000026
【００６９】
　また、電波反射体としての金属板とアスファルトとの合成インピーダンスは、上述のように上記（６）式に金属板のインピーダンスＺｌ＝０を代入した以下の式となる。
【数２５】
2004085564.tif 000027
【００７０】
　同様にして、この合成インピーダンスに水または氷のインピーダンスＺ１を加えた合成インピーダンスＺinとこの合成インピーダンスに（１１）（１２）式を代入して複素比誘電率εrによって展開した計算式は次の通りとなる。
【数２６】
2004085564.tif 000028
【００７１】
　そこで、上記（１０）式にこのインピーダンスＺinを代入することによって反射率Γが求められる。従って、この反射率に基づいて電波の変化（減衰量、受信強度等）を算出し、水または氷の有無あるいは水の厚みを判別することが可能になる。図１２は反射体を厚さ５mmのアスファルトに埋設したアスファルト上の水と氷の電波反射特性を示す図である。同図に示すように２mmの水または氷においては周波数１．８ＧＨｚで水の減衰量が極小値をとるので、周波数１．８ＧＨｚにおいて減衰量が−１０ｄＢ以下であれば水２mm、減衰量が−１ｄＢ以上であれば氷２mmと判別するなど、種々の判別によって水または氷の有無を判別することが可能になる。
【００７２】
　また、図１３乃至図１５は、電波反射体をそれぞれコンクリート、塗料、アクリルに埋設した場合の水と氷の電波反射特性を示す図である。これらの図から明らかなように、２mmの水または氷においては周波数１．８ＧＨｚで水の減衰量が極小値をとるので、上記のアスファルトの場合と同様に水または氷の有無を判別することが可能になる。
【００７３】
　また、図１６は電波反射体を埋設したアスファルト上の水の電波反射特性を厚み毎に示す図である。同図に示すように各周波数において水の厚みによって減衰量およびその極小値の周波数が異なるので、減衰量が極小となる周波数を取得し、その周波数によって水の厚みを判別するなど、種々の構成を採用可能である。尚、このような三層構造においては、上述の二層構造と比較して電波の変化がより大きくなる。従って、より高精度に検出を行うことが可能になる。むろん、金属板の上層に配設される物質としては、アスファルトに限らず上述のコンクリートや塗料、アクリルなど道路に施工可能な誘電体を用いれば良い。
【００７４】
　また、実施形態に示す構成においては、送信アンテナと受信アンテナとを個別に配置したが、例えば、図１に示す発信器１１と検波器２１の間に送信と受信の切り分けを行う方向性分波器を用い、その方向性分波器に送受信アンテナを接続することにより、一つのアンテナによって送受信を兼用させてもよい。この場合には、入射角０度、すなわち、路面に対して電波が垂直に照射される。
【００７５】
　なお、上記の実施形態では電波を路面に対して垂直に照射（入射角０度）した場合を例として説明したが、電波反射体と水，氷からなる路面に対して特定の入射角θをもって照射する場合の受端側から見た上記（８）式に対応する水または氷に対する平面波の電波伝搬の特性インピーダンスと伝送定数、および（９）式に対応する水または氷だけの特性インピーダンス、並びに（１０）式に対応する反射率Γは、それぞれ次のように説明できる。
【００７６】
　水または氷からなる誘電体に電波が入射角θで入射した場合の特性インピーダンスＺ１と伝搬定数γは、水または氷の特性インピーダンスをＺ１とすると、次の式によって表される。
【数２７】
2004085564.tif 000029
【００７７】
　一方、電波反射体である金属板のインピーダンスＺｌ＝０であるため、上記式（６）に代入することによりＺinが求められる。
【数２８】
2004085564.tif 000030
【００７８】
　さらに、電波反射体（金属板）、アスファルト、水，氷などのように多層の誘電体層からなる路面に対して特定の入射角θをもって照射する場合には、次の計算式が適用される。
【数２９】
2004085564.tif 000031
ここで、ε2、はアスファルトなどの複素比誘電率であり、前期同様、代表的にはε2＝６．０＋４．０ｊ程度となる。
【００７９】
　この理論展開をもとに、電波の入射角に対する減衰量の入射角依存性について計算した結果を図１７に示す。この図１７のように、アスファルト上の水に対する電波の減衰量は、電波を路面に対して垂直に照射しても、６０度までの入射角で斜めに照射してもその依存性は少なく、水と氷に対して同様な特性を得ることが可能である。
【００８０】
　さらに、判定精度を向上させるため、乱反射成分による干渉を除去する処理を行っても良い。すなわち、図１に示す路面状態判別装置において、受信アンテナ３２が受信する信号は、送信波が路面で反射した反射波のみならず路面付近の種々の物体（例えばガードレール）での反射等が重畳された状態（干渉した状態）である。そこで、干渉を除去するために前記図１８に示す構成を採用しても良い。
【００８１】
　図１８において、位相検出部１０と複素信号変換部４１とフーリエ逆変換部４２と時間フィルタ部４３とフーリエ変換部４４とは図１に示す路面状態判別装置に加えられた構成である。かかる構成において、発振器２１は所定の帯域で複数の周波数の信号を発振し、検波器３１では各周波数での発振信号に対応した信号を受信波として取得する。位相検出部１０は発振器２１および検波器３１に接続されており、発振器２１の出力と検波器３１の出力から受信信号の位相を検出し、当該位相を示す位相信号を送受信変化量算出部４に供給する。複合信号変換部４１は、当該位相信号と前記検波器３１が出力する受信電波の強度信号（Ａ（ｆ））を取得し、複素信号データ（Ｆ（ω）＝Ａ（ｆ）（ｃｏｓωｔ＋ｊｓｉｎωｔ））として出力する。なお、ｆは周波数でω＝２πｆである。
【００８２】
　位相検出部１０および複素信号変換部４１による処理は、前記発振器２１によって発振された信号の各周波数について実施され、得られた複素信号データは図示しないメモリに記憶される。フーリエ逆変換部４２は、複素信号データについて以下の式
【数３０】
2004085564.tif 000032
に従ってフーリエ逆変換を実施するモジュールであり、フーリエ逆変換後の複素時間信号データｆ（ｔ）を出力する。ここで、ｔは時間である。時間フィルタ部４３は、この複素信号データｆ（ｔ）に対して以下の式
【数３１】
2004085564.tif 000033
に従って時間フィルタＧ（ｔ）を作用させ、所望の時間帯域における信号データｇ（ｔ）を抽出する。尚、時間フィルタＧ（ｔ）としては、各種関数を採用可能であり、矩形，ガウス，ハミング，ハニング関数等を採用可能である。
【００８３】
　そして、フーリエ変換部４４は、当該抽出された信号データｇ（ｔ）を以下の式
【数３２】
2004085564.tif 000034
に従ってフーリエ変換し、干渉が除去され、路面からの反射成分を抽出した複素周波数信号データＦ（ω）を取得する。送受信変化量算出部４では、当該干渉を除去した後の複素周波数信号データＦ（ω）から受信電波の強度を算出し、前記発振器２１で出力した送信波の強度を用いて前記減衰量や、受信強度を取得する。この結果、干渉の影響を排除し水や氷による電波の変化を確実に取得することができ、高精度で水や氷の有無あるいは水の厚みを判別することが可能になる。
【００８４】
　図１９〜図２２は、このように干渉波を除去する処理の効果を説明する説明図である。これらの図は、送信アンテナおよび受信アンテナの下方中央に位置する路面上に水２ｍｍを張った状態で前記周波数を１ＧＨｚ〜５ＧＨｚまで変化させた場合について説明する説明図である。図１９は、前記位相検出部１０および複素信号変換部４１〜フーリエ変換部４４での処理を行わない場合の受信波と送信波の電波の変化をｄＢで示している。
【００８５】
　同図に示すスペクトルでは、全周波数帯域に渡って小さなピークが連続しているが、これは各周波数において路面で反射する電波以外の干渉を多く含むとともにその影響が周波数毎に異なることに起因している。図２０は、この場合の受信波についてフーリエ逆変換を行った場合の絶対値を示しており、横軸は時間（秒）、縦軸は絶対値である。送信波が路面の一点で反射し、その反射波のみを受信したのであれば、図２０の横軸の一点で大きなピークとなるはずであるが、図２０では２つの大きなピークが現れ、また、小さなノイズ成分が多数含まれている。
【００８６】
　図２０では、右側の最大ピークが路面からの反射波であり、左側のピークは送信アンテナから受信アンテナに直接入射する電波である。また、その他の小さなノイズは他の部分や乱反射成分あるいはノイズである。本発明においては、図２０の最大ピークのみを参照して受信波に対する減衰量等を判断すべきであり、このために前記時間フィルタを作用させる。
【００８７】
　図２１は時間フィルタによって最大ピークのみを抽出した状態を示している。そして、図２２はこの抽出した信号をフーリエ変換して受信波の信号とし、この受信波と送信波とで算出した減衰量を周波数に対して示した図である。同図に示すように減衰量は非常になめらかになっており、以上の処理によって前記図１９で示した干渉の影響が排除されたことがわかる。すなわち、これにより、路面で反射して受信アンテナに受信された電波と送信波との変化を正確に比較することができ、正確に高精度で水や氷の有無あるいは水の厚みを判別することが可能になる。
【００８８】
　さらに、電波には偏波が存在するが、以下に説明する実験結果から明らかなように、電波の入射面（入射波と反射波とで構成される平面）に対して電界成分が垂直なＴＥ波と入射面に対して磁界成分が垂直なＴＭ波とについて同様な減衰量の特性が得られるため、上記の実施形態ではＴＭ波による測定結果を提示している。図２３は、２mmの水を張った路面に対してＴＭ波とＴＥ波とを４５°の入射角で実験した場合の減衰量を示している。同図に示すように、ＴＥ波，ＴＭ波のいずれであってもほぼ同様の結果である。なお、ＴＥ波の反射率Γを求める場合には、上記のＴＭ波の計算式に代えて、以下の計算式を用いて上記の実施形態と同様の判別を行えばよい。
【数３３】
2004085564.tif 000035
【００８９】
　さらにまた、反射体にアスファルトなどの誘電体を積層する場合には、図２４のように一定の水が誘電体上に溜まるように誘電体を加工することで溜まる水の最大値が一定となるため特定の周波数帯を用いた厚みの計測が可能となる。また、この構成により、上限と下限の周波数範囲を特定することができる。図２５は、図２４のように塗料で２mmの土手を形成した場合の水の電波反射特性を厚み毎に示す図である。ただし、反射体として上述の導電性コンクリートなどを利用する場合には、コンクリート自体を図２４のように加工すればよい。また、電波反射体または誘電体を電波反射体に積層した路面に傾斜させることによって水膜を均質とすることで、安定した計測精度を得ることが可能となる。
【図面の簡単な説明】
【００９０】
【図１】本発明に係る路面状態判別装置の一例を示す回路ブロック図である。
【図２】同上の回路ブロックの動作を示すフローチャートである。
【図３】水と氷の複素比誘電率の特性図である。
【図４】計測の原理を示す説明図である。
【図５】本発明の水と氷の電波反射特性を示す図である。
【図６】他の路面状態判別装置の回路ブロック図である。
【図７】路面にレーザ光や自然光が当たった場合の反射率と透過率を示す説明図である。
【図８】水の厚み変化による電波反射特性図である。
【図９】導電性コンクリートにおける減衰量を示す図である。
【図１０】金網と反射板の反射特性を示す図である。
【図１１】三層を形成している場合の計測の原理を説明する説明図である。
【図１２】反射体を埋設したアスファルト上の水と氷の電波反射特性を示す図である。
【図１３】反射体を埋設したコンクリート上の水と氷の電波反射特性を示す図である。
【図１４】反射体を埋設した塗料上の水と氷の電波反射特性を示す図である。
【図１５】反射体を埋設したアクリル上の水と氷の電波反射特性を示す図である。
【図１６】反射体を埋設したアスファルト上の水の電波反射特性を厚み毎に示す図である。
【図１７】電波の反射率の入射角依存性を示す図である。
【図１８】他の路面状態判別装置の回路ブロック図である。
【図１９】干渉波を除去する処理の効果を説明する説明図である。
【図２０】干渉波を除去する処理の効果を説明する説明図である。
【図２１】干渉波を除去する処理の効果を説明する説明図である。
【図２２】干渉波を除去する処理の効果を説明する説明図である。
【図２３】ＴＥ波およびＴＭ波の比較を示す図である。
【図２４】加工された誘電体を説明するための説明図である。
【図２５】塗料で２mmの土手を形成した場合の水の電波反射特性を厚み毎に示す図である。
【符号の説明】
【００９１】
　１　　　　電波反射体
　２　　　　送信手段
　２１　　　発振器
　２２　　　送信アンテナ
　３　　　　受信手段
　３１　　　検波器
　３２　　　受信アンテナ
　４　　　　送受信変化量算出部
　５　　　　基準データ記憶部
　６　　　　路面状態判別部
　７　　　　出力部
　８　　　　制御プログラム記憶部
　９　　　　ＣＰＵ
　１５　　　受信強度計測部
【図１】
2004085564.tif 000036
【図２】
2004085564.tif 000037
【図３】
2004085564.tif 000038
【図４】
2004085564.tif 000039
【図５】
2004085564.tif 000040
【図６】
2004085564.tif 000041
【図７】
2004085564.tif 000042
【図８】
2004085564.tif 000043
【図９】
2004085564.tif 000044
【図１０】
2004085564.tif 000045
【図１１】
2004085564.tif 000046
【図１２】
2004085564.tif 000047
【図１３】
2004085564.tif 000048
【図１４】
2004085564.tif 000049
【図１５】
2004085564.tif 000050
【図１６】
2004085564.tif 000051
【図１７】
2004085564.tif 000052
【図１８】
2004085564.tif 000053
【図１９】
2004085564.tif 000054
【図２０】
2004085564.tif 000055
【図２１】
2004085564.tif 000056
【図２２】
2004085564.tif 000057
【図２３】
2004085564.tif 000058
【図２４】
2004085564.tif 000059
【図２５】
2004085564.tif 000060